(57)【特許請求の範囲】
【請求項１】
有線回線を通じて緊急地震速報を受信する複数の地震速報受信部と、
複数の照明制御部であって、１つの照明制御部は、それぞれ建築物に設置されている複数の照明装置に接続され、該複数の照明装置の点灯及び消灯を個別に又は一斉に制御する照明制御部と、
前記建築物の玄関扉及び非常口又は通用門に設置された電気錠と、前記建築物が集合住宅である場合に個々の住戸の扉に設けられた電気錠と、
前記各電気錠に接続され、該電気錠の解錠及び施錠を制御する複数の電気錠制御部と、
警報音又は音声による所定の情報を出力する複数の音声情報出力部と、
画像による所定の情報を出力する複数の画像情報出力部と、
複数の屋内モニタ装置であって、１つの屋内モニタ装置は、それぞれ１つの前記地震速報受信部、１つの前記照明制御部、１つの前記電気錠制御部、１つの前記音声情報出力部及び１つの前記画像情報出力部を備えた屋内モニタ装置と、
１つの前記地震速報受信部、１つの前記照明制御部、１つの前記電気錠制御部を備えた親機と、
複数の負荷制御装置であって、各負荷制御装置はそれぞれそれに対応する１つの前記屋内モニタ装置から電波を媒体として無線送信される所定の信号を受信し、前記複数の照明装置及び前記各電気錠を制御する負荷制御装置を備えた負荷制御システムであって、
前記親機に設けられた地震速報受信部は、前記緊急地震速報を受信すると、前記複数の屋内モニタ装置に設けられた地震速報受信部に前記緊急地震速報を転送し、
前記複数の地震速報受信部がそれぞれ前記緊急地震速報を受信したときに、
前記複数の音声情報出力部は、あらかじめ設定されている地震警報に対応する警報音又は音声による所定の情報を出力し、
前記複数の画像情報出力部は、前記緊急地震速報に含まれる地震情報又は地震発生時の避難路を画像表示し、
前記複数の照明制御部は、前記複数の照明装置のうちあらかじめ設定されている１又は複数の照明装置又は全ての照明装置を点灯させ、
前記複数の電気錠制御部は、それに接続されている全ての前記電気錠を解錠することを特徴とする負荷制御システム。
【発明の詳細な説明】
【技術分野】
【０００１】
本発明は、地震警報システムに連動して、照明装置などの負荷を制御する負荷制御システムに関する。
【背景技術】
【０００２】
近年、ブロードバンド回線を通じて、緊急地震速報を各住戸に通報する地震警報システムが普及しつつある。現在の地震警報システムは、地震発生時の初期微動（Ｐ波）と主要動（Ｓ波）を観測・解析し、何秒後にどの程度の規模の主要動が到達するかを、音声で通報するシステムである。各住戸に設置される端末装置は、警報音の出力と音声による通報機能を備えている。
【０００３】
一方、本出願人は、テレビカメラを内蔵したテレビドアホンシステムを実用化しており、さらに、火災報知器などのセンサと組み合わせてテレビドアホンシステムの屋内モニタ装置（親機）から電気錠などの負荷を制御する負荷制御システムを提案している（特許文献１参照）。
【０００４】
地震発生時には、単に住人に地震の主要動の到来を知らせるだけでなく、照明装置を点灯させたり、避難路を確保したりする必要があり、地震警報システムと負荷制御システムを連動させることが望ましい。
【先行技術文献】
【特許文献】
【０００５】
【特許文献１】特許第２６９１４１９号公報
【発明の概要】
【発明が解決しようとする課題】
【０００６】
本発明は、上記従来例の問題を解決するためになされたものであり、例えば戸建て住宅や集合住宅などの建築物に設置されている照明装置などの負荷制御システムであって、地震発生時に、住人に地震の主要動の到来を予告すると共に、照明装置の点灯や避難路の確保などの機能を備えた負荷制御システムを提供することを目的とする。
【課題を解決するための手段】
【０００７】
上記目的を達成するため、本発明に係る負荷制御システムは、
有線回線を通じて緊急地震速報を受信する複数の地震速報受信部と、
複数の照明制御部であって、１つの照明制御部は、それぞれ建築物に設置されている複数の照明装置に接続され、該複数の照明装置の点灯及び消灯を個別に又は一斉に制御する照明制御部と、
前記建築物の玄関扉及び非常口又は通用門に設置された電気錠と、前記建築物が集合住宅である場合に個々の住戸の扉に設けられた電気錠と、
前記各電気錠に接続され、該電気錠の解錠及び施錠を制御する複数の電気錠制御部と、
警報音又は音声による所定の情報を出力する複数の音声情報出力部と、
画像による所定の情報を出力する複数の画像情報出力部と、
複数の屋内モニタ装置であって、１つの屋内モニタ装置は、それぞれ１つの前記地震速報受信部、１つの前記照明制御部、１つの前記電気錠制御部、１つの前記音声情報出力部及び１つの前記画像情報出力部を備えた屋内モニタ装置と、
１つの前記地震速報受信部、１つの前記照明制御部、１つの前記電気錠制御部を備えた親機と、
複数の負荷制御装置であって、各負荷制御装置はそれぞれそれに対応する１つの前記屋内モニタ装置から電波を媒体として無線送信される所定の信号を受信し、前記複数の照明装置及び前記各電気錠を制御する負荷制御装置を備えた負荷制御システムであって、
前記親機に設けられた地震速報受信部は、前記緊急地震速報を受信すると、前記複数の屋内モニタ装置に設けられた地震速報受信部に前記緊急地震速報を転送し、
前記複数の地震速報受信部がそれぞれ前記緊急地震速報を受信したときに、
前記複数の音声情報出力部は、あらかじめ設定されている地震警報に対応する警報音又は音声による所定の情報を出力し、
前記複数の画像情報出力部は、前記緊急地震速報に含まれる地震情報又は地震発生時の避難路を画像表示し、
前記複数の照明制御部は、前記複数の照明装置のうちあらかじめ設定されている１又は複数の照明装置又は全ての照明装置を点灯させ、
前記複数の電気錠制御部は、それに接続されている全ての前記電気錠を解錠することを特徴とする。
【発明の効果】
【００１０】
請求項１の発明によれば、地震速報受信部が緊急地震速報を受信したとき、すなわち地震の主要動が到達する前に、音声情報出力部から地震警報に対応する警報音又は音声による所定の情報が出力されるので、住人は、事前に地震の到来を予期することができ、地震に備えて安全な場所に避難したり、火災防止のための措置などをとったりすることができる。また、画像情報出力部に緊急地震速報に含まれる地震情報又は地震発生時の避難路が画像表示されるので、地震の規模を予想したり、地震発生後の避難路を確認したりすることができる。さらに、夜間や就寝時の場合、照明制御部によってあらかじめ設定されている１又は複数の照明装置又は全ての照明装置が点灯されるので、廊下や玄関などの避難路の照明が確保され、避難が容易になると共に、聴覚障害のある人に対しても緊急事態であることを通報することができる。さらに、建築物の扉に電気錠が設置されている場合は、電気錠制御部により前記電気錠が解錠されるので、避難路を確保することができる。特に、大地震発生時には停電するので、住人が地震発生前に避難路を確認したり、電気錠を地震発生前に解錠させたりしておくことは有効である。なお、この負荷制御システムは、戸建て住宅や集合住宅の個別の住戸に設置する場合に適する。
【図面の簡単な説明】
【００１３】
【図１】本発明の一実施形態に係る負荷制御システムを備えた戸建て住宅の概略構成を示す図。
【図２】上記負荷制御システムにおける屋内モニタ装置の構成を示すブロック図。
【図３】上記負荷制御システムを集合住宅に適用した場合の概略構成を示す図。
【図４】集合住宅に適用した場合の負荷制御システムの親機及び子機の構成を示すブロック図。
【発明を実施するための最良の形態】
【００１４】
本発明の一実施形態に係る負荷制御システムについて説明する。図１は、本実施形態に係る地震警報システムと連動した負荷制御システムを、戸建て住宅に設置した場合の概略構成を示す。一般的に、戸建て住宅などの建築物の門扉や玄関などの付近には、テレビカメラ２を備えたテレビドアホン装置の屋外器（子機）３が設けられている。また、リビングルームやダイニングキッチンなどにはテレビドアホン装置の屋内モニタ装置（親機）４が設けられている。一方、家屋１の玄関１１、廊下１２、階段１３、リビング１４、キッチン１５、寝室１６、１７・・・などの壁面には、照明装置（照明負荷）２１・・・のオン及びオフなどを制御するための壁面スイッチを兼ねた負荷制御装置３１・・・が設けられており、これら負荷制御装置３１・・・と照明装置２１・・・とは、それぞれ壁や天井の裏側に設置された配線を介して接続されている。これらの負荷制御装置３１・・・の一部又は全部は、テレビドアホン装置の屋内モニタ装置４から有線を介して又は電波を媒体として無線送信される所定の信号を受信する受信機能を有している。
【００１５】
本実施形態では、全ての負荷制御装置３１・・・は上記受信機能を有するものとし、さらに１又は複数の負荷のオン及びオフ及びオン状態における負荷の段階を制御する負荷制御機能を有する。負荷としては、上記照明装置２１・・・の他に、警報装置、警備会社への通報装置あるいは電気錠（オートドアロック）などを制御することができる。また、負荷制御装置３１・・・は、ユーザによって操作され、電波を媒体として、操作された内容に応じた所定の信号を無線送信する操作スイッチ（例えばリモコン装置）８０などからの所定の信号も受信可能である。なお、操作スイッチ８０は、必ずしもリモコン装置である必要はなく、壁面に設置又は固定された他のスイッチであってもよい。
【００１６】
屋内モニタ装置４に設けられている照明制御部（詳細は後述する）は、特定の又は全ての負荷制御装置３１に対して点灯のための制御信号を無線送信し、あらかじめ設定されている１又は複数の照明装置又は全ての照明装置２１・・・をオン（点灯）させる。なお、玄関の天井部に設置されている屋側センサ５は、屋外の照度に応じて又は所定の検知領域６内に人が存在するか否かに応じて、照明装置２１などを点灯又は消灯させるための点灯信号又は消灯信号を屋内モニタ装置４に対して出力し、屋内モニタ装置４は屋側センサ５からの点灯信号又は消灯信号を受信すると、負荷制御装置３１に対して点灯又は消灯のために制御信号を無線送信し、照明装置２１をオン（点灯）又はオフ（消灯）させる。
【００１７】
玄関１１、廊下１２及び階段１３に設けられた人体感知センサ７１、７２及び７３は、所定の検知領域内に人が立ち入った場合に、人の存在を検知して、例えば電波を媒体として、人を検知したことを知らせ、照明装置を点灯させるための点灯信号又は所定の検知領域内に一定時間人の存在を検知しなくなった場合に、人が立ち去ったことを知らせる消灯信号を屋内モニタ装置４又は最寄りの負荷制御装置３１、３２又は３３に対して無線送信する。負荷制御装置３１、３２及び３３は、人体感知センサ７１、７２及び７３からの点灯信号又は消灯信号に応じて照明装置２１、２２、２３及び２４をそれぞれ点灯又は消灯させる機能を有すると共に、ユーザの操作により照明装置２１、２２、２３及び２４をそれぞれ点灯又は消灯させる通常のスイッチ機能を有している。
【００１８】
リビング１４、寝室１６又は１７などに設けられた負荷制御装置３４〜３７などは、操作スイッチ（リモコン装置）８０などから送信される所定の制御信号に応じて、照明装置２５〜２８などのオン又はオフ及びオンのときの照度などを制御する機能を有する。
【００１９】
各負荷制御装置３１〜３７は、有線又は無線通信を介して、屋内モニタ装置４と通信を行う。また、１つの負荷制御装置（例えばリビング１４又はキッチン１５に設けられている負荷制御装置３４又は３５）をマスターとし、他の負荷制御装置をスレーブとするマスター・スレーブ通信を行うように構成されていてもよい。さらに、個々の負荷制御装置３１〜３７は、時分割多重方式又は周波数多重方式により、操作スイッチ８０からの信号の受信を行う。
【００２０】
また、本実施形態では、玄関１１の扉に電気錠８１が設けられているものとする。さらに、図示していないが、バリアフリーに対応して、エレベータが設置されていてもよい。
【００２１】
次に、上記負荷制御システムにおける機能について説明する。近年、光通信やケーブルテレビなどのブロードバンド回線などの有線回線を介して緊急地震速報を各住戸に通報する地震警報システムが普及しつつある。屋内モニタ装置４は、図２に示すように、ブロードバンド回線に接続されるインタフェースを備えており、ブロードバンド回線を通じて緊急地震速報を受信する機能を有している。屋内モニタ装置４のブロック構成を図２に示す。
【００２２】
図２に示すように、屋内モニタ装置４は、ブロードバンド回線を通じて緊急地震速報を受信する地震速報受信部４１と、上記複数の照明装置２１・・・に接続され、照明装置２１・・・の点灯及び消灯を個別に又は一斉に制御する照明制御部４２と、電気錠８１に接続され、電気錠８１の解錠及び施錠を制御する電気錠制御部４３と、エレベータが設置されている場合は、そのエレベータの制御部に接続され、エレベータの昇降及び扉の開閉を制御するエレベータ制御部４４と、警報音又は音声による所定の情報を出力する音声情報出力部４５と、画像による所定の情報を出力する画像情報出力部４６を備えている。また、音声情報出力部４５にはスピーカ４７が、画像情報出力部４６には液晶表示装置などの表示装置４８が接続されている。なお、テレビドアホン機能部（図示せず）については説明を省略する。また、電気錠制御部４３及びエレベータ制御部４４は、オプションとして必要に応じて設置されていてもよい。
【００２３】
地震速報受信部４１が緊急地震速報を受信すると、音声情報出力部４５は、あらかじめ設定されている地震警報に対応する警報音又は音声による所定の情報をスピーカ４７から出力し、それによって住人はすぐに地震の主要動が到達することを予想することができる。画像情報出力部４６は、前記緊急地震速報に含まれる、例えば地震の主要動の予想到達時間（何秒後か）や震度などの地震情報、あるいは、地震発生時の避難場所や避難路を表示装置４８の画面上に表示する。それによって、住人は、地震発生時や地震発生後の対応をとることができる。照明制御部４２は、複数の照明装置２１・・・のうちあらかじめ設定されている１又は複数の照明装置又は全ての照明装置を点灯させる。例えば、夜間や就寝時において、廊下や玄関などの避難路の照明が確保され、避難が容易になると共に、聴覚障害のある人に対しても緊急事態であることを通報することができる。電気錠制御部４３は、電気錠８１を解錠する。それによって、地震発生時に住人があわてていても、スムーズに扉を開くことができ、避難路の確保が可能となる。エレベータ制御部４４は、エレベータの乗籠を最寄り階に停止させ、エレベータの乗籠及びその階の建築物側の扉を開放すると共に、エレベータが作動できないように昇降機能及び扉の開閉機能をロックする。それによって、住人がエレベータに閉じ込められる可能性を低減することができる。特に、大地震発生時には停電するので、地震の主要動が到達する前に、電気錠８１を解錠させたり、エレベータを停止させたり、あるいは地震情報や避難路を表示装置４８に画像表示することは有効である。なお、図１及び図２に示す負荷制御システムは、戸建て住宅や集合住宅の個別の住戸に設置する場合に適する。
【００２４】
図３は、負荷制御システムを集合住宅全体に適用した場合の概略構成を示す。集合住宅用の負荷制御システムは、管理室又は配電室などに設置された１つの親機４Ａと１又は複数の子機（屋内モニタ装置）４Ｂで構成された負荷制御システムである。親機４Ａと子機４Ｂのブロック構成を図４に示す。
【００２５】
親機４Ａは、ブロードバンド回線を通じて緊急地震速報を受信する地震速報受信部４１Ａと、集合住宅の共用部分に設置されている複数の照明装置２０に接続され、複数の照明装置２０の点灯及び消灯を個別に又は一斉に制御する照明制御部４２Ａと、集合住宅の扉が自動開閉扉６１である場合は、自動開閉扉６１の開閉を制御する扉開閉制御部４０Ａと、集合住宅の扉６２に電気錠８２が設置されている場合は、電気錠８２に接続され、電気錠８２の解錠及び施錠を制御する電気錠制御部４３Ａと、集合住宅にエレベータ５０が設置されている場合は、エレベータの制御部（図示せず）に接続され、エレベータの乗籠５１の昇降及び扉５２の開閉を制御するエレベータ制御部４４Ａと、１又は複数の子機４Ｂに緊急地震速報を転送する地震速報転送部４９Ａを備えている。図３では、正面玄関の扉６１を自動開閉扉とし、非常口又は通用口に扉６２に電気錠８２が設けられているものとする。
【００２６】
子機４Ｂは、親機４Ａの地震速報転送部４９Ａから転送された緊急地震速報を受信する地震速報受信部４１Ｂと、個々の住戸に設置されている複数の照明装置２２・・・に接続され、複数の照明装置２２・・・の点灯及び消灯を個別に又は一斉に制御する照明制御部４２Ｂと、個々の住戸の扉に電気錠８１が設置されている場合は、その電気錠８１に接続され、電気錠８１の解錠及び施錠を制御する電気錠制御部４３Ｂと、警報音又は音声による所定の情報を出力する音声情報出力部４５Ｂと、画像による所定の情報を出力する画像情報出力部４６Ｂを備えている。すなわち、子機４は上記図１及び図２に示した屋内モニタ装置４と基本的に同じものであり、緊急地震速報を直接受信せず、親機４Ａから転送されたものを受信する点と、エレベータ制御部が設けられていない点が異なる。
【００２７】
親機４Ａの地震速報受信部４１Ａが緊急地震速報を受信すると、親機４Ａの照明制御部４２Ａは、集合住宅の廊下や階段などの共用部分に設置されている複数の照明装置２０のうちあらかじめ設定されている１又は複数の照明装置又は全ての照明装置を点灯させる。扉開閉制御部４０Ａは、自動開閉扉６１を開放し、親機４Ａの電気錠制御部４３Ａは、例えば、非常口や通用門などの扉６２の全ての電気錠８２を解錠する。また、エレベータ制御部４４Ａは、エレベータ５０の乗籠５１を最寄り階に停止させ、エレベータの乗籠５１の扉（図示せず）を開放すると共に、その階の集合住宅（建築物）側の扉５２も開放すると共に、エレベータ５０が作動できないように昇降機能及び扉の閉機能をロックする。なお、子機４Ｂの地震速報受信部４１Ｂが、親機４Ａの地震速報転送部４９Ａから転送された緊急地震速報を受信したときの動作は、上記と同様である。
【符号の説明】
【００２８】
１  家屋
３  テレビドアホン装置の屋外器（子機）
４  テレビドアホン装置の屋内モニタ装置（親機）
４Ａ  負荷制御システムの親機
４Ｂ  負荷制御システムの子機（屋内モニタ装置）
２０〜２８  照明装置
３１〜３７  負荷制御装置（壁面スイッチ）
４０Ａ  扉開閉制御部
４１、４１Ａ、４１Ｂ  地震速報受信部
４２、４２Ａ、４２Ｂ  照明制御部
４３、４３Ａ、４３Ｂ  電気錠制御部
４４、４４Ａ  エレベータ制御部
４５、４５Ｂ  音声情報出力部
４６、４６Ｂ  画像情報出力部
４７  スピーカ
４８  表示装置
４９Ａ  地震速報転送部
５０  エレベータ
５１  乗籠
５２  扉
６１  自動開閉扉
６２  （非常口又は通用口の）扉
８１、８２  電気錠
【図１】
0005433317.tif 000002
【図２】
0005433317.tif 000003
【図３】
0005433317.tif 000004
【図４】
0005433317.tif 000005